【事件の表示】
　特許第４３０２４０６号に関する訂正審判事件について、次のとおり審決する。
【結　論】
　特許第４３０２４０６号に係る明細書及び図面を本件審判請求書に添付された訂正明細書及び図面のとおり訂正することを認める。
【理　由】
１．請求の要旨及び訂正の内容 
　
　本件審判請求は、本件特許４３０２４０６号の明細書（以下、「本件特許明細書」という。）を、本件審判請求書に添付された訂正明細書のとおり訂正することを求めるものである。（下線部は訂正箇所を意味する。） 
　
　その訂正内容は、次のとおりである。
　
（１）訂正事項１
　本件特許請求の範囲の請求項１における
「図柄停止コマンドを受信した図柄表示装置のＣＰＵは、受信後に、停止図柄データに係る停止図柄を本来停止すべき位置で停止させる」という記載を、
「図柄停止コマンドを受信した図柄表示装置のＣＰＵは、受信後に、停止図柄データに係る停止図柄を本来停止すべき位置で停止
表示するように制御する
　
（２）訂正事項２
　明細書の段落【０００９】の
「更に、停止図柄の停止位置の微妙なずれを解消することを目的とする。」という記載を削除する。
　
（３）訂正事項３
　明細書の段落【００１０】における
「図柄停止コマンドを受信した図柄表示装置のＣＰＵは、受信後に、停止図柄データに係る停止図柄を本来停止すべき位置で停止させることを特徴とする。」という記載を、
「図柄停止コマンドを受信した図柄表示装置のＣＰＵは、受信後に、停止図柄データに係る停止図柄を本来停止すべき位置で停止
表示するように制御する
　
（４）訂正事項４
　明細書の段落【００３４】における
「図柄表示装置のＣＰＵは、受信した変動コマンドが指定する停止図柄データ及び変動パターンデータに従って図柄変動を行うこととなっている。」という記載を、
「図柄表示装置のＣＰＵは、受信した変動コマンドが指定する停止図柄データ及び変動パターンデータに従って図柄変動を行う
ように制御する
　
（５）訂正事項５
　明細書の段落【００３７】における
「よって、これを受信した図柄表示装置のＣＰＵは、データ記憶手段を参照して、上記（２）から（５）までの段階で、必要に応じて演出を表示しつつ、図柄を変動させる。」という記載を、
「よって、これを受信した図柄表示装置のＣＰＵは、データ記憶手段を参照して、上記（２）から（５）までの段階で、必要に応じて演出を表示しつつ、図柄を変動させる
ように制御する
　
（６）訂正事項６
　明細書の段落【００３８】における
「すなわち、まず最初に（２）の段階で、前回停止図柄を初期状態として「低速」で、かつ特段の演出なしで変動する図柄を表示する。
　次に（３）の段階で、「高速」で、かつ「背景変化」を伴って変動する図柄を表示する。
　次に（４）の段階で、停止図柄である「７」まで「低速」で、かつ「キャラクター出現」を伴って変動する図柄を表示する。」という記載を、
「すなわち、まず最初に（２）の段階で、前回停止図柄を初期状態として「低速」で、かつ特段の演出なしで変動する図柄を表示する
ように制御する
　次に（３）の段階で、「高速」で、かつ「背景変化」を伴って変動する図柄を表示する
ように制御する
　次に（４）の段階で、停止図柄である「７」まで「低速」で、かつ「キャラクター出現」を伴って変動する図柄を表示する
ように制御する
　
（７）訂正事項７
　明細書の段落【００３９】における
「最後に、（５）の段階で図柄変動を停止させる際には、先に受信した変動コマンドに含まれる停止図柄コードに対応する図柄「７」を特段の演出なしに表示して、次に変動コマンドを受信するまでこの状態を維持することとなる。」という記載を、
「最後に、（５）の段階で図柄変動を停止させる際には、先に受信した変動コマンドに含まれる停止図柄コードに対応する図柄「７」を特段の演出なしに表示
するように制御
　
（８）訂正事項８
　明細書の段落【００３９】における
「ここで、上記図柄停止コマンドを受信した図柄表示装置のＣＰＵは、この停止位置から正位置まで図柄を移動させることとなっている。」という記載を、
「ここで、上記図柄停止コマンドを受信した図柄表示装置のＣＰＵは、この停止位置から正位置まで図柄を移動させる
ように制御する
　
（９）訂正事項９
　明細書の段落【００３９】における
「これにより、主基板と図柄表示装置とのＣＰＵのクロック周波数の違い、コマンド送信タイミングのずれ、及び表示画面の書き換えタイミングのずれ等によって、図柄が本来停止すべき位置（以下、「正位置」とする。）からずれた位置で停止したり、また、本来停止すべき時点に至ってもまだ変動が続行している事態が防止でき、停止図柄の表示の微妙なずれを解消することが可能となっている。」という記載を、
「これにより、主基板と図柄表示装置とのＣＰＵのクロック周波数の違い、コマンド送信タイミングのずれ、及び表示画面の書き換えタイミングのずれ等によって、図柄が本来停止すべき位置（以下、「正位置」とする。）からずれた位置で停止したり、また、本来停止すべき時点に至ってもまだ変動が続行している事態が防止でき
る。
　
（１０）訂正事項１０
　明細書の段落【００５１】における
「そして、この取得したデータに基づいて、液晶画面16に、指定された停止図柄を、指定された変動パターン及び演出パターンで表示することとなっている。」という記載を、
「そして、この取得したデータに基づいて、液晶画面16に、指定された停止図柄を、指定された変動パターン及び演出パターンで表示する
ように制御する
　
（１１）訂正事項１１
　明細書の段落【００６３】における
「この図柄停止コマンドを受信した図柄表示装置10のＣＰＵ11は、受信の時点で表示している図柄30にかかわらず、停止図柄まで図柄変動させた後、その停止図柄を正位置で停止させることとなっている。」という記載を、
「この図柄停止コマンドを受信した図柄表示装置10のＣＰＵ11は、受信の時点で表示している図柄30にかかわらず、停止図柄まで図柄変動させた後、その停止図柄を正位置で停止させる
ように制御する
　
（１２）訂正事項１２
　明細書の段落【００８１】の
「更に、請求項１記載の発明の説明によると、停止図柄の停止位置の微妙なずれを解消することが可能となる。」という記載を削除する。
　
２．当審の判断
（１）訂正事項１について
　訂正事項１は、図柄表示装置のＣＰＵが、図柄の停止などの図柄変動の表示を制御することを明りょうにするために、
　請求項１の「図柄停止コマンドを受信した図柄表示装置のＣＰＵは、受信後に、停止図柄データに係る停止図柄を本来停止すべき位置で停止させる」という記載を、
　請求項１の「変動コマンドを受信した図柄表示装置のＣＰＵは、ＲＯＭから、変動コマンドに応じた、停止図柄データ及び変動パターンデータを取得し、変動開始から変動停止までを変動パターンデータに従って変動表示を行うと共に、停止図柄データに従って停止図柄を表示するように制御し、」、段落【００１４】の「また、図柄表示装置には、主基板のＣＰＵとは別に、実際の図柄の変動を制御するＣＰＵが設けられている。」という記載に基づき、
　「図柄停止コマンドを受信した図柄表示装置のＣＰＵは、受信後に、停止図柄データに係る停止図柄を本来停止すべき位置で停止
表示するように制御する
　
（２）訂正事項２、９及び１２について
　訂正事項２、９及び１２は、特許請求の範囲の記載に対応しない本件発明の目的あるいは効果の記載を削除するものであるから、明りょうでない記載の釈明に該当する。
　
（３）訂正事項３ないし８、１０ないし１１について
　訂正事項３ないし８、１０ないし１１は、上記（１）の「訂正事項１について」の訂正により、特許請求の範囲の請求項１における明りょうでない記載の釈明の訂正を行った結果、記載表現が一致しなくなった明細書の記載を、訂正後の特許請求の範囲の記載に整合させるための訂正であり、明りょうでない記載の釈明に該当する。
　
　そして、当該訂正事項１ないし１２は、願書に最初に添付した明細書、特許請求の範囲又は図面に記載した事項の範囲内のものであり、実質上特許請求の範囲を拡張し又は変更するものではない。
　
３．むすび
　したがって、本件審判の請求は、特許法第１２６条第１項ただし書第３号に掲げる事項を目的とし、かつ、同条第３項ないし第４項の規定に適合する。
　
　よって、結論のとおり審決する。